(57)【要約】【課題】血液や体液の垂れ落ちを防止する機能を備えた顔面保護用フィルムを簡便な方法で低コストに提供する。【解決手段】アイシールド２０等として使用される、透明プラスチックで形成された顔面保護用フィルムが、該フィルムを顔面に着用した場合に下側となる縁部に、該フィルムの変形により形成された突条２３を有し、突条２３が突出しているフィルム面の水の接触角が７０°以下である。アイシールド付きマスク１Ａでは、この顔面保護用フィルムから形成されたアイシールド２０がマスク１０の上部に取り付けられ、アイシールド２０の下縁部でマスク１０に耐光するフィルム面２０ａと反対側のフィルム面２０ｂから突条２３が突出している。【選択図】図１Ａ
2016123693.tif 000002
【特許請求の範囲】
【請求項１】
透明プラスチックで形成された顔面保護用フィルムであって、該フィルムを顔面に着用した場合に下側となる縁部に、該フィルムの変形により形成された突条を有し、突条が突出しているフィルム面の水の接触角が７０°以下である顔面保護用フィルム。
【請求項２】
突条が突出しているフィルム面の水の接触角が２６°以上である請求項１に記載の顔面保護用フィルム。
【請求項３】
突条が、フィルムの打ち抜き加工により形成されている請求項１又は２記載の顔面保護用フィルム。
【請求項４】
突条がフィルム面から突出する高さが２５μｍ以上である請求項１〜３のいずれかに記載の顔面保護用フィルム。
【請求項５】
突条が突出しているフィルム面と反対側のフィルム面に、表面の凹部又は凸部からなる構造体が可視光の波長以下のピッチで複数設けられている透明樹脂層（以下、モスアイ層という）を有する請求項１〜４のいずれかに記載の顔面保護用フィルム。
【請求項６】
前記モスアイ層が、親水性官能基を有する紫外線硬化樹脂で形成されている請求項５記載の顔面保護用フィルム。
【請求項７】
突条が突出しているフィルム面に、吸水性層が突条に沿って帯状に設けられている請求項１〜６のいずれかに記載の顔面保護用フィルム。
【請求項８】
請求項１〜７のいずれかに記載の顔面保護用フィルムから形成されたアイシールドが口及び鼻を覆うマスクの上部に取り付けられているアイシールド付きマスクであって、アイシールドの下縁部で、マスクに対向するフィルム面と反対側のフィルム面から突条が突出しているアイシールド付きマスク。
【請求項９】
請求項１〜７のいずれかに記載の顔面保護用フィルムから形成されたアイシールドがメガネ型フレームに取り付けられ、アイシールドの下縁部で突条が外向きに突出しているメガネ式アイシールド。
【請求項１０】
請求項１〜７のいずれかに記載の顔面保護用フィルムから形成されたマスクシールドがバイザー型フレームに取り付けられ、アイシールドの下縁部で突条が外向きに突出しているバイザー式マスクシールド。
【発明の詳細な説明】
【技術分野】
【０００１】
本発明は、顔面への飛来物から顔面を保護しつつ必要な視界を確保する顔面保護用フィルムに関する。
【背景技術】
【０００２】
従来、外科手術等に用いられるシールド付きマスクとして、透明なプラスチックフィルムをアイシールドとし、それを口及び鼻を覆うマスクに取り付けたものが知られている（特許文献１）。
【０００３】
また、このようなプラスチックフィルムに反射防止特性を付与すると共に、マスクの着用者の呼気によりプラスチックフィルムが曇ることを防止するため、プラスチックフィルムの表面に特定の塗料をコーティングすることが知られている（特許文献２）。
【先行技術文献】
【特許文献】
【０００４】
【特許文献１】特許２９３９６２７号公報
【特許文献２】特開２０１０−２０２８８１号公報
【発明の概要】
【発明が解決しようとする課題】
【０００５】
一方、外科手術等において、アイシールドを構成するフィルムに血液や体液が飛散してきた場合、フィルムに付着した血液や体液が患者に垂れ落ちたり、床や周辺機器を汚染したりすることが懸念され、感染予防の点から問題となるが、従来のアイシールドは、血液や体液の垂れ落ちを防止する機能を備えていない。
【０００６】
これに対し、本発明は、血液や体液の垂れ落ちを防止する機能を備えた顔面保護用フィルムを、簡便な方法で低コストに製造できるようにすることを目的とする。
【課題を解決するための手段】
【０００７】
本発明者は、透明プラスチックフィルムから形成したアイシールドおいて、そのフィルルムが特定の水の接触角を有し、血液や体液等の液体が飛散してくるフィルム面の下側縁部に突条があると、その突条の突出量が数十μｍ程度であっても、フィルムに飛散してきた液体が突条の存在により垂れ落ち難くなり、また、この程度の突出量は、フィルムの打ち抜き時の加工で容易に形成できることを見出し、本発明を想到した。
【０００８】
即ち、本発明は、透明プラスチックで形成された顔面保護用フィルムであって、該フィルムを顔面に着用した場合に下側となる縁部に、該フィルムの変形により形成された突条を有し、突条が突出しているフィルム面の水の接触角が７０°以下である顔面保護用フィルムを提供する。
【０００９】
また本発明は、上述の顔面保護用フィルムから形成されたアイシールドが口及び鼻を覆うマスクの上部に取り付けられているアイシールド付きマスクであって、アイシールドの下縁部で、マスクに対向するフィルム面と反対側のフィルム面から突条が突出しているアイシールド付きマスクを提供し、上述の顔面保護用フィルムから形成されたアイシールドがメガネ型フレームに取り付けられ、アイシールドの下縁部で突条が外向きに突出しているメガネ式アイシールドを提供し、顔面保護用フィルムから形成されたマスクシールドがバイザー型フレームに取り付けられ、マスクシールドの下縁部で突条が外向きに突出しているバイザー式マスクシールドを提供する。
【発明の効果】
【００１０】
本発明の顔面保護用フィルムによれば、突条が形成されている側のフィルム面は、水の接触角が７０°以下であるため、フィルムに飛散してきた液体が直ちにはじき返されることが無い。したがって、本発明の顔面保護用フィルムをアイシールドとして着用し、その場合に、突条を血液や体液が飛散してくる側のフィルム面で突出するようにすると、飛散してきた液体はフィルムに付着し、突条の上で留まり、フィルムから垂れ落ちにくくなる、もしくは飛散してきた液体を、定箇所で垂れ落ちるように誘導できる。また、大量の液体がフィルムに飛散してきた場合でも、液体がフィルムから垂れ落ちる前に拭き取り易くなる。したがって、本発明によれば、飛散してきた液体の垂れ落ちによる汚染を抑制し、感染予防を図ることができる。
【００１１】
また、この突条はプラスチックフィルムの打ち抜きにより、打ち抜いたフィルムの縁辺に容易に形成することができる。したがって、この突条は、アイシールドの外形の打ち抜き時に簡便に低コストに製造することができる。よって、本発明の画面保護用フィリウムを用いたアイシールド付きマスク、メガネ式アイシールド及びバイザー式マスクシールドは安価に容易に製造することができ、かつこれらによって飛散してきた液体の垂れ落ちによる汚染を抑制して感染予防を図ることができる。
【図面の簡単な説明】
【００１２】
【図１Ａ】図１Ａは、実施例のアイシールド付きマスク１Ａの平面図である。
【図１Ｂ】図１Ｂは、実施例のアイシールド付きマスク１Ａの部分断面図である。
【図２】図２は、実施例のアイシールド付きマスク１Ａの着用状態の斜視図である。
【図３】図３は、実施例のアイシールド付きマスク１Ｂの着用状態の斜視図である。
【図４】図４は、実施例のメガネ型アイシールド２の着用状態の斜視図である。
【図５】図５は、実施例のバイザー型マスクシールド３の着用状態の斜視図である。
【発明を実施するための形態】
【００１３】
以下、本発明を、図面を参照しつつ詳細に説明する。なお、各図中、同一符号は同一又は同等の構成要素を表している。
<<シールド付きマスクの全体構成>>
図１Ａは、本発明の一実施例のアイシールド付きマスク１Ａの平面図であり、図２は、その着用状態の斜視図である。
【００１４】
このシールド付きマスク１Ａは、口及び鼻を覆うマスク１０の上部に、本発明の顔面保護用フィルムからなるアイシールド２０を取り付け、また、マスク１０の側縁部には、耳掛け用に一対の紐１１をループ状に接合したものであり、左右対象に形成されている。
【００１５】
なお、アイシールド付きマスク１Ａを顔面に保持させるために、紐１１を結ぶようにしてもよく、紐１１に代えてゴム紐を使用しても良い。紐による保持は一般にひも式、タイオン式と呼称されるものとなり、ゴム紐で耳にかけるものはゴム式、耳かけ式と呼称されるものになる。
【００１６】
<<マスク>>
マスク１０としては、医療用のマスクとして使用されているものを使用することができ、例えば、通気性を有するが細菌の侵入を防止する多層構造の不織布を使用することができる。マスク１０には、必要に応じて折りひだ１３を形成し、着用時にマスク１０が顔面の立体形状に沿うようにしても良く、また、防眩用に、マスク１０の上部に濃色領域１４を設けてもよい。
【００１７】
<<アイシールド>>
<アイシールドの外形>
アイシールド２０は、本発明の顔面保護用フィルムを、マスク１０にとりつけるアイシールドとして成形したものである。より具体的には、着用者の視界を遮ることなく、着用者の目に液体や飛散物が飛来することを防ぐため、アイシールド２０は、熱可塑性又は熱硬化性プラスチックからなる平板状の透明フィルムからなり、マスク１０の幅に対して十分に大きな幅を有し、着用者の目の周囲を広く覆うことのできる大きさを有している。また、アイシールド２０は、下辺の幅方向中央部に凹部２１を有している。この凹部２１により、シールド付きマスク１Ａの着用時に、図２に示すように、アイシールド２０の下部を顔の立体形状に沿わせ、かつ、鼻の周囲でアイシールド２０にしわがよることを防止することができる。
【００１８】
<アイシールドの突条>
このアイシールド２０は、顔面に着用した場合に下側となる縁部に、該フィルムの変形により形成された突条２３を有している。図１Ｂに示すように、アイシールド２０において、突条２３は、マスク１０に対向するフィルム面２０ａと反対側のフィルム面２０ｂにおいて突出する向き、即ち装着時に外向きとなるように設けられる。
【００１９】
突条２３がフィルム面２０ｂから突出する高さＬａは、アイシールドを形成するフィルムの撥水性の程度に応じて定めることができ、通常、２５μｍ以上が好ましく、５０μｍ以上がより好ましい。また、突条２３で液体を保持しやすくする点からは突条２３の高さＬａに上限はないが、突条２３を容易に成形する点、さらにはアイシールド２０の下部を顔の立体形状に沿わせることができる柔軟性を確保する点で、突条２３の高さＬａは３０００μｍ以下が好ましく、２０００μｍ以下がより好ましい。
【００２０】
アイシールド２０のフィルム厚Ｌｂについては突条２３を成形できる厚みであれば制限はないが、打ち抜き成形による加工のし易さ、及び打ち抜き加工により形成した突条形状の維持の点から、フィルム厚Ｌｂは好ましくは１００μｍ以上、より好ましくは１５０μｍ以上とする。即ち、平板状のフィルムをアイシールド２０の外形に２枚の刃で打ち抜くことでアイシールド２０を形成する場合に、２枚の刃の間隔を調整することで切断されたフィルムの縁辺を屈曲させることにより突条２３を形成することができる。このような打ち抜き時の曲げ加工で突条２３を形成すると、アイシールド２０の製造工程において、突条２３を形成するための曲げ加工による工程を格別設けること無く、簡便に低コストに突条２３を形成することが可能となる。
【００２１】
突条２３で液が保持される作用をさらに高めるため、図１Ｂに示すように、突条２３が突出しているフィルム面２０ｂに、突条２３沿って吸水性層２４を帯状に形成してもよい。吸水性層２４は、吸水性樹脂粉末と樹脂バインダーとの混合等から作られる吸水性塗料の塗布により、または吸水不織布、吸水紙等の吸水性テープの貼着により形成することができる。
【００２２】
<アイシールドの構成フィルム>
アイシールド２０を構成する透明プラスチックフィルムを形成する樹脂としては、例えば、ポリエチレンテレフタレート（ＰＥＴ）等のポリエステル類、ポリスチレン、シクロオレフィン、ポリエチレン、又はその共重合体等のポリオレフィン類、ポリカーボネート、ポリメチルメタクリレート、ポリエチルアクリレート、又はその共重合体等のポリアクリル酸エステル類、ポリスルホン、ポリ塩化ビニリデン、ポリフッ化ビニリデン、酢酸セルロース等のセルロース誘導体などをあげることができる。
【００２３】
アイシールド２０を形成する透明プラスチックフィルムにおいて、突条２３が突出しているフィルム面２０ｂの水の接触角は７０°以下とする。これにより、アイシールド２０に飛散してきた血液、体液等の液体がフィルム面ではじかれて直ちにアイシールド２０から垂れ落ちることを防止することができる。
【００２４】
一方、突条２３が突出しているフィルム面の水の接触角の下限については、汚れた際に視界を確保するための拭き取り性の点から、好ましくは２６°以上である。
【００２５】
このため、突条２３が突出しているフィルム面には、フッ素系撥水剤及びシリコーン系撥水剤等により撥水処理を施すことが好ましい。
【００２６】
なお、この水の接触角は、協和界面科学社製ＣＡ−Ｖ型または同等の性能を有する測定装置を用いて１μＬの水をサンプル表面に滴下後１１秒で行う水の接触角の測定をサンプルに水を滴下する位置を変えて３回実施し、それらの平均により得られる数値である。
【００２７】
一方、突条２３が突出しているフィルム面２０ｂ又はその反対側のフィルム面２０ａには、反射防止層を設ける等の反射防止処理を施すことが好ましい。反射防止層としては、例えば、表面の凹部又は凸部からなる複数の構造体が可視光の波長以下のピッチで２次元的に複数配設された、所謂モスアイ構造を有するものを使用することができる。
【００２８】
また、突条２３が突出しているフィルム面２０ｂと反対側のフィルム面２０ａには、防曇処理を施すことが好ましい。これにより、シールド付きマスク１の着用者の呼気に含まれる水分の凝縮によってアイシールド２０が曇ることを防止することができる。
【００２９】
防曇処理としては、公知の防曇剤を塗布してもよく、また、モスアイ構造を有する反射防止層を、親水性官能基を有する紫外線硬化樹脂で形成することにより防曇処理としてもよい。
【００３０】
<アイシールドとマスクの接合>
アイシールド２０は、接合領域２２ａ、２２ｂでマスク１０と固着している。
接合領域２２ａ、２２ｂは、アイシールド２０シールド付きマスク１Ａの左右両端部であって、着用時に鼻の側方となる部分に設けられている。接合領域２２ａ、２２ｂにおけるアイシール２０とマスク１０との接合方法としては、超音波溶着、熱接着、鋲等の機械的接合などをあげることができる。接合領域２２ａ、２２ｂの大きさは、アイシールド２０を固定できればよく、例えば、幅３〜１５ｍｍ、長さ５〜３０ｍｍとすることができる。これにより、アイシールド２０を紐１１で顔面に押さえつけることが不要となり、シールド付きマスク１Ａを簡便に着脱することができる。
【００３１】
こうして得られるシールド付きマスクは、口及び鼻を覆うマスクと、目を保護するアイシールドの双方が必要とされる種々の用途で有用である。例えば、外科手術等を行う医療現場、食肉加工、食品製造ライン等で使用することができる。
【００３２】
<<変形態様>>）
本発明の顔面保護用フィルムは、種々の形態で用いることができる。
例えば、図３に示すシールド付きマスク１Ｂは、図１Ａに示したシールド付きマスク１Ａに対し、アイシールド２０の左右両側の下端の角部２５を下方に突出させ、アイシールド２０に飛散した液体が角部２５に誘導されるようにしたものである。この態様においては、角部２５における液保持性を、角部２５における突条２３の突出高さを大きくすることにより、あるいは吸水不織布、吸水紙等の貼着により、高めておくことが好ましい。
【００３３】
また、本発明の顔面保護用フィルムからなるアイシールド２０は、上述のようにマスク１０に取り付けて使用できる他、図４に示すように、突条２３を外向きにしてアイシールド２０を耳掛け式のフレーム２７に取り付けることによりメガネ型シールド２として使用してもよい。
【００３４】
さらに、本発明の顔面保護フィルムは、顔面を保護する種々の形態で使用することができる。例えば、図５に示すように、顔面保護用フィルムからなるマスクシールド２０’を、突条２３を外向きにしてバイザー型かぶり物２８に取り付けることにより、バイザー型シールド３としてもよい。
このように、本発明の顔面保護用フィルムを取り付ける対象は、顔面保護用シールドの形態に応じて、マスク、フレーム、かぶり物など適宜選択することができる。
【実施例】
【００３５】
以下、実施例により本発明を具体的に説明する。
実施例１〜５及び比較例１
フィルムの液保持性に及ぼす水接触角と突条の高さＬａの影響を調べるために、次のようにシールド付きマスクを製造し、評価した。
（１）シールド付きマスクの製造
図１Ａに示すアイシールド付きマスク１Ａを、マスク１０として市販の不織布製マスクを使用し、アイマスク２０として、ＰＥＴから形成した透明フィルム（厚さ１２５μｍ）を打ち抜いたものを使用し、双方を接合領域２２ａ、２２ｂで熱溶着することにより製造した。
【００３６】
この場合、アイマスク２０の下側縁には、アイマスク２０を透明フィルムから打ち抜く際の２枚の刃の間隔の調整によりエッジ部分に曲げ加工を施し、表１に示す高さＬａの突条２３を形成した。
【００３７】
また、突条２３が突出する側のフィルム面に予め親水性官能基を有する紫外線硬化樹脂で親水膜層を形成し、一般的なフッ素系撥水スプレー及び市販のシリコーン系撥水剤（スーパーレインＸ、株式会社錦之堂）を塗布することにより、その透明フィルムの水の接触角を表１に示すように調整した。
なお、水の接触角は、協和界面科学社製ＣＡ−Ｖ型により計測した。
【００３８】
（２）評価
各実施例のアイシールド付きマスクを、アイシールドのフィルム面が床面に対して垂直になるように載置し、そのアイシールドに、赤インクを純水で希釈したインク希釈液をシリンジにて３ｃｍの距離で０．１ｍＬ吹きつけ、１０秒後にインク希釈液による不織布製マスクの汚れ状態及び床面の汚れ状態を次の以下の方法で評価した。これは、アイシールド２０に血液、体液等の液体が飛散してきた場合の緊急対応として、血液、体液等の液体を拭き取ることが出来る対応時間が約１０秒程であると想定されることによる。結果を表１に示す。
【００３９】
不織布製マスクの汚れの評価
目視にてマスクの表面に視認される汚れ付着箇所の総数により次の基準で評価した。
Ａ：付着箇所無し
Ｂ：付着箇所3箇所未満
Ｃ：付着箇所3箇所以上
【００４０】
床面の汚れの評価
マスク下部より３０ｃm下の床面へ白紙を敷き、３０ｃｍ×３０ｃｍの範囲で目視にて視認される汚れの付着箇所の総数により次の基準で評価した。
Ａ：付着箇所無し
Ｂ：付着箇所3箇所未満
Ｃ：付着箇所3箇所以上
【００４１】
【表１】
2016123693.tif 000003
【００４２】
表１から、アイシールドを構成する透明フィルムの突条側のフィルム面の水の接触角が７０°以下であると、アイシールドに付着した液体が垂れることによる床面の汚れを防止できること、特に、突条の高さが２５μｍ以上であると透明フィルムに液が保持される効果が顕著であることがわかる。
【００４３】
試験例１〜６
透明フィルムが液の付着で汚れたときには視界を確保するために拭き取りが行われるが、この拭き取り性に及ぼす水の接触角の影響を次のようにして調べた。
即ち、表２に示す水接触角のフィルムに、赤インクを純水で希釈したインク希釈液をシリンジにて３ｃｍの距離で０．１ｍＬ吹きつけ、１０秒後に_千代田株式会社製不織布で３回拭き取った後の拭き残りの状態を次の基準で評価した。結果を表２に示す。
【００４４】
拭き取り性の評価基準
不織布にて拭き取り後のフィルム表面の汚れを目視にて視認される拭き残り汚れを判断。
Ａ：赤色の汚れが視認されないレベル
Ｂ：赤色の汚れは視認されるが透過視にて色が視認されないレベル
Ｃ：赤色の汚れが視認され透過視においても色が視認されるレベル
【００４５】
【表２】
2016123693.tif 000004
【００４６】
表２からフィルム面が汚れた際の拭き取り性としてはフィルム面の水接触角として2６°以上が好ましく、さらに好ましくは４０°以上であることがわかる。
【００４７】
試験例７〜１０
打ち抜き成形による加工性に及ぼすフィルム厚の影響を次のようにして調べた。
表３に示す厚みのフィルムを使用し、打ち抜き加工でフィルムを切断することによりフィルムエッジが屈曲して突条となったフィルム片を製造した。この場合、突条の高さＬａが５０μｍとなるように、打ち抜き加工時の２枚の刃の間隔を調整した。このフィルム片の製造後、一般環境下で２４時間放置した。打ち抜き加工直後及び放置後の突条の高さを求め、次の基準で評価した。結果を表３に示す。
【００４８】
加工性の評価基準
Ａ：２４時間後の突条高さが打ち抜き直後の５０％超８０％以内
Ｂ：２４時間後の突条高さが打ち抜き直後の５０％以内
Ｃ：２４時間後の突条高さが打ち抜き直後の５０％未満
【００４９】
【表３】
2016123693.tif 000005
【００５０】
表３から、打ち抜き加工により形成した突条の高さを維持する点から、フィルム厚は１００μｍ以上が好ましく、１５０μｍ以上がより好ましいことがわかる。
【００５１】
試験例１１〜１５
アイシールドの下部を顔の立体形状に沿わせるためには、フィルムの突条が曲げに対して柔軟性を有することが必要となる。そこで、突条の柔軟性に及ぼす突条の高さＬａの影響を次のようにして調べた。
【００５２】
フィルムエッジに、表４に示す高さの突条を有するフィルム片を打ち抜き加工により製造した。この場合、突条の高さが表４に示す高さとなるように、打ち抜き加工時の２枚の刃の間隔を調整した。得られたフィルム片のエッジ部を、顔のＲ形状に近いＲ７８ｍｍで湾曲させた。この湾曲の前後の突条の高さＬａの変化と湾曲部の座屈程度を目視観察し、次の基準で評価した。結果を表４に示す。
【００５３】
フィルムエッジ曲げ柔軟性の評価基準
Ａ：湾曲部に座屈が無く、湾曲前と湾曲後で突条の高さＬａが変化しない
Ｂ：湾曲部に座屈が無く、湾曲前と湾曲後の突条の高さＬａの変化が８０％以内
Ｃ：湾曲部に座屈が認められる
【００５４】
【表４】
2016123693.tif 000006
【００５５】
表４から突条の高さＬａはフィルムエッジの曲げに対する柔軟性の点で３０００μｍ以下が好ましく、さらに好ましくは２０００μｍ以下であることがわかる。
【符号の説明】
【００５６】
１Ａ、１Ｂ  アイシールド付きマスク
２    メガネ型シールド
３    バイザー型シールド
１０    マスク
１１    紐
１３    折りひだ
１４    濃色領域
２０    アイシールド
２０’  マスクシールド
２０ａ、２０ｂ    フィルム面
２１    凹部
２２ａ、２２ｂ    接合領域
２３    突条
２４    吸水性層
２５    角部
２７    耳掛け式フレーム
２８    バイザー型かぶり物
Ｌａ    突条の高さ
Ｌｂ    フィルム厚
【図１Ａ】
2016123693.tif 000007
【図１Ｂ】
2016123693.tif 000008
【図２】
2016123693.tif 000009
【図３】
2016123693.tif 000010
【図４】
2016123693.tif 000011
【図５】
2016123693.tif 000012